(57)【特許請求の範囲】
【請求項１】
路側無線装置を介して無線で受信された配信情報であって、当該配信情報の識別情報と当該配信情報の内容を示す内容情報とを含む配信情報を複数記憶し、
また、予め登録された前記識別情報と、当該識別情報に対応する内容情報と、当該内容情報に対応する内容情報を含む配信情報の有無を示すリンク切れフラグとを含む複数のレコードからなるリストテーブルを記憶する記憶手段と、
前記リストテーブルに基づいて各レコードの内容を表示する表示手段と、
前記リストテーブルのレコードの前記識別情報と識別情報が一致する前記記憶手段に記憶されている配信情報を検索し、当該検索された配信情報の前記内容情報と当該レコードの前記内容情報との一致を当該レコードの前記内容情報の中の予め定められた複数の判定要素で判定し、前記複数の判定要素が一致しない場合、当該レコードのリンク切れフラグを対応する内容情報を含む配信情報なしに設定し、前記対応する内容情報を含む配信情報なしに設定されている前記リンク切れフラグのレコードの内容を対応する内容情報を含む配信情報ありに設定されているレコードとは異なる状態で前記表示手段に表示させる制御手段と、
前記対応する内容情報を含む配信情報なしに設定されているリンク切れフラグのレコードに対応する配信情報の代わりとなる配信情報の検索指示を受け付ける入力手段と、
を備え、
前記制御手段は、
前記入力手段により受け付けられた前記検索指示に応じて、前記対応する内容情報を含む配信情報なしに設定されているリンク切れフラグのレコードに対応する配信情報の代わりとなる配信情報として、当該レコードに対応する配信情報の前記複数の判定要素のうち少なくとも一つの判定要素を含む配信情報を検索し、当該検索結果を前記表示手段に表示させる車載器。
【請求項２】
前記複数の判定要素には、前記配信情報の内容を示すテキスト情報が含まれる請求項１に記載の車載器。
【請求項３】
前記複数の判定要素には、前記配信情報を提供する企業の識別情報が含まれる請求項１又は２に記載の車載器。
【請求項４】
前記複数の判定要素には、前記配信情報を提供する企業を示すテキスト情報が含まれる請求項１から３のいずれか一項に記載の車載器。
【請求項５】
前記入力手段は、
前記検索指示の対象となったレコードの内容情報を含む配信情報に基づくレコードを、当該検索指示の対象となったレコードに代えて記憶させる代替指示を受け付け、
前記制御手段は、
前記入力手段により受け付けられた前記代替指示に応じて、前記検索指示の対象となったレコードの内容情報を含む配信情報に基づくレコードを、当該検索指示の対象となったレコードに代えて前記リストテーブルに記憶させる、
請求項１から４のいずれか一項に記載の車載器。
【請求項６】
前記入力手段は、
前記検索指示の対象となったレコードの内容情報を含む配信情報に基づくレコードを、前記リストテーブルに追加する追加指示を受け付け、
前記制御手段は、
前記入力手段により受け付けられた前記追加指示に応じて、前記検索指示の対象となったレコードの内容情報を含む配信情報に基づくレコードを、前記リストテーブルに追加して記憶させる、
請求項１から４のいずれか一項に記載の車載器。
【請求項７】
前記入力手段は、配信情報なしに設定されているリンク切れフラグのレコードの内容を表示させる指示を受け付け、
前記制御手段は、
前記入力手段により受け付けされた前記表示させる指示の対象となった前記レコードに対応する内容情報を含む配信情報が前記記憶手段に記憶されていないことを示すメッセージを前記表示手段に表示させる、
請求項１から４のいずれか一項に記載の車載器。
【請求項８】
前記入力手段は、
前記表示させる指示の対象となった前記レコードを削除する指示を受け付け、
前記制御手段は、
前記入力手段により受け付けられた削除する指示の対象となった前記レコードを前記リストテーブルから削除する、
請求項７に記載の車載器。
【発明の詳細な説明】
【技術分野】
【０００１】
本発明は、車載器に関する。
【背景技術】
【０００２】
近年、ＤＳＲＣ（Dedicated Short Range Communication）等を利用して路上に設置された路側無線装置と狭域無線通信を行い、当該路側無線装置を介してセンター装置から情報提供を受けることが可能な車載器がある。
【０００３】
このような車載器を用いたシステムとしては、車両が路側無線装置の通信範囲内にある間のみ、車両に搭載された車載器と路側無線装置との双方向通信が可能となり、この間にセンター装置が路側無線装置を介して、地域情報（例えば、周辺の店舗や医療機関の情報、広告等）を配信するものがある。
【０００４】
当該車載器として、配信された地域情報を記憶することにより、路側装置と通信できない環境においても、当該地域情報を再生可能とする技術が開示されている（特許文献１参照）。
【特許文献１】特開２００７−１０９０３２号公報
【発明の開示】
【発明が解決しようとする課題】
【０００５】
車載器に記憶された配信情報は、多数の情報が含まれているため階層構造を用いて記憶し、当該階層構造を辿って目的とする配信情報を検索する技術がある。しかし、最上位から最下位まで順番に階層構造を辿ることは煩雑であるため、予めユーザが所望する配信情報を登録した所謂お気に入りリストを作成することにより、以後はこのお気に入りリストを参照して直接所望の配信情報を見つける技術が検討されている。
【０００６】
このお気に入りリストは、配信情報を識別する識別情報と、当該配信情報の内容を示すテキスト情報とを含んでおり、これらの情報に基づいて気に入りリストを表示したり、選択された配信情報を読み出したりすることができるものである。
【０００７】
しかしながら、お気に入りリストに登録されている配信情報と車載器が路側装置から受信された配信情報とが同一の識別情報（情報コード）である場合には、登録されている配信情報は受信された配信情報に無条件に上書きされることが考えられる。また、情報コードは、配信情報を提供するサービス事業者によって任意に設定変更可能であるため、情報コードの改変があったり、サービス事業者とユーザとの情報コードに対する認識の違いがある場合には、情報コードは同一であるが配信情報の内容が異なる場合が生じ、お気に入りリストから当該配信情報を選択すると、ユーザが所望する内容が表示されない場合がある。
なお、ここで言う内容の同一性とは、完全一致を示すものではなく、具体的な内容が更新されていても同一とみなし、コンテンツの提供元が変更されていたりコンテンツの分野が異なったりする場合等は、同一とはみなさないものとする。
【０００８】
本発明の課題は、上記問題に鑑みて、ユーザが所望する配信情報を表示する際の利便性及び表示される配信情報の内容の信頼性を高めることである。
【課題を解決するための手段】
【０００９】
請求項１に記載の発明は、路側無線装置を介して無線で受信された配信情報であって、当該配信情報の識別情報と当該配信情報の内容を示す内容情報とを含む配信情報を複数記憶し、また、予め登録された前記識別情報と、当該識別情報に対応する内容情報と、当該内容情報に対応する内容情報を含む配信情報の有無を示すリンク切れフラグとを含む複数のレコードからなるリストテーブルを記憶する記憶手段と、前記リストテーブルに基づいて各レコードの内容を表示する表示手段と、前記リストテーブルのレコードの前記識別情報と識別情報が一致する前記記憶手段に記憶されている配信情報を検索し、当該検索された配信情報の前記内容情報と当該レコードの前記内容情報との一致を当該レコードの前記内容情報の中の予め定められた複数の判定要素で判定し、前記複数の判定要素が一致しない場合、当該レコードのリンク切れフラグを対応する内容情報を含む配信情報なしに設定し、前記対応する内容情報を含む配信情報なしに設定されている前記リンク切れフラグのレコードの内容を対応する内容情報を含む配信情報ありに設定されているレコードとは異なる状態で前記表示手段に表示させる制御手段と、前記対応する内容情報を含む配信情報なしに設定されているリンク切れフラグのレコードに対応する配信情報の代わりとなる配信情報の検索指示を受け付ける入力手段と、を備え、前記制御手段は、前記入力手段により受け付けられた前記検索指示に応じて、前記対応する内容情報を含む配信情報なしに設定されているリンク切れフラグのレコードに対応する配信情報の代わりとなる配信情報として、当該レコードに対応する配信情報の前記複数の判定要素のうち少なくとも一つの判定要素を含む配信情報を検索し、当該検索結果を前記表示手段に表示させる車載器である。
【００１０】
請求項２に記載の発明は、請求項１に記載の車載器において、前記複数の判定要素には、前記配信情報の内容を示すテキスト情報が含まれる。
【００１１】
請求項３に記載の発明は、請求項１又は２に記載の車載器において、前記複数の判定要素には、前記配信情報を提供する企業の識別情報が含まれる。
【００１２】
請求項４に記載の発明は、請求項１から３のいずれか一項に記載の車載器において、前記複数の判定要素には、前記配信情報を提供する企業を示すテキスト情報が含まれる。
【００１３】
請求項５に記載の発明は、請求項１から４のいずれか一項に記載の車載器において、前記入力手段は、前記検索指示の対象となったレコードの内容情報を含む配信情報に基づくレコードを、当該検索指示の対象となったレコードに代えて記憶させる代替指示を受け付け、前記制御手段は、前記入力手段により受け付けられた前記代替指示に応じて、前記検索指示の対象となったレコードの内容情報を含む配信情報に基づくレコードを、当該検索指示の対象となったレコードに代えて前記リストテーブルに記憶させる。
【００１４】
請求項６に記載の発明は、請求項１から４のいずれか一項に記載の車載器において、前記入力手段は、前記検索指示の対象となったレコードの内容情報を含む配信情報に基づくレコードを、前記リストテーブルに追加する追加指示を受け付け、前記制御手段は、前記入力手段により受け付けられた前記追加指示に応じて、前記検索指示の対象となったレコードの内容情報を含む配信情報に基づくレコードを、前記リストテーブルに追加して記憶させる。
【００１５】
請求項７に記載の発明は、請求項１から４のいずれか一項に記載の車載器において、前記入力手段は、配信情報なしに設定されているリンク切れフラグのレコードの内容を表示させる指示を受け付け、前記制御手段は、前記入力手段により受け付けされた前記表示させる指示の対象となった前記レコードに対応する内容情報を含む配信情報が前記記憶手段に記憶されていないことを示すメッセージを前記表示手段に表示させる。
【００１６】
請求項８に記載の発明は、請求項７に記載の車載器において、前記入力手段は、前記表示させる指示の対象となった前記レコードを削除する指示を受け付け、前記制御手段は、前記入力手段により受け付けられた削除する指示の対象となった前記レコードを前記リストテーブルから削除する。
【発明の効果】
【００１８】
本発明によれば、ユーザが所望する配信情報を表示する際の利便性及び表示される配信情報の内容の信頼性を高めることができる。
【発明を実施するための最良の形態】
【００１９】
［実施の形態１］
まず、構成を説明する。
図１に、本実施の形態１における配信システム１００の構成図を示す。
配信システム１００は、図１に示すように、車両Ｃに搭載された車載器１０、路側無線装置２０、センター装置３０を含んで構成され、センター装置３０が路側無線装置２０を介して車載器１０に配信情報を配信する。
路側無線装置２０は路上や駐車場等に設置され、各路側無線装置２０はネットワークＮ１を介してセンター装置３０と接続されている。また、路側無線装置２０と、車両Ｃの車載器１０とは無線通信が可能である。
【００２０】
なお、配信情報とは、店舗の広告や駐車場、医療施設の案内等のコンテンツ（テキスト情報、画像情報、音情報）の他、コンテンツを提供する事業者に関する情報、コンテンツの有効期限の情報（例えば、有効期限の開始と終了の日時）、サービスを提供可能な対象地点の情報（例えば、広告している店舗の地点を示す緯度経度や店舗名等）、指定したコンテンツの通知を行うポップアップの再生をする地点（例えば、ポップアップの再生地点を示す緯度経度、ポップアップを再生する道路種別や車両の進入方向を指定する情報等）、コンテンツの表示画面の遷移情報（次に表示する画面を指定する情報等）、嗜好情報等を含む情報である。詳細は後述する。
【００２１】
図１では１台のセンター装置３０のみ示したが、配信情報を配信する配信事業者は複数あり、センター装置３０は配信事業者毎に備えられるものであってもよい。
【００２２】
以下、各構成装置について詳細に説明する。
路側無線装置２０は、図２に示すように本体装置２０ａとアンテナ２０ｂとから構成されている。路側無線装置２０は、道路脇、道路上方又は駐車場脇等に設置されたアンテナ２０ｂから、到達距離が限定されたＤＳＲＣの電波を放射して、路側無線装置２０近傍に路側エリアＺを形成する。この路側エリアＺ内にある車両Ｃの車載器１０とだけ双方向狭域無線通信が可能となる。以下、路側無線装置２０と車載器１０間の狭域無線通信を路車間通信という場合がある。
【００２３】
ＤＳＲＣは５．８ＧＨｚ帯域の電波を使った通信方式であり、その通信範囲は例えば数メートルから数十メートルである。
【００２４】
本体装置２０ａは、車載器１０とセンター装置３０間の情報のやりとりを仲介するための処理を行う。すなわち、アンテナ２０ｂを介して車載器１０から受信された情報をセンター装置３０に転送し、センター装置３０から送信された配信情報を車載器１０へ転送する。本体装置２０ａは、情報処理や通信制御を行う制御部、記憶部等を備えたコンピュータ端末を適用することができる。
【００２５】
車載器１０は、車両Ｃに搭載され、搭載された車両Ｃを目的地へ誘導するための処理等を行うナビゲーション機能の他、ＤＳＲＣによるＥＴＣ（Electronic Toll Collection System）利用のための処理を行う機能等を有している。
【００２６】
図３に、路側無線装置２０から車載器１０に配信（送信）される配信情報のデータ構成例を示す。以下、１まとまりの配信情報を情報グループと称す。図３に示すように、配信される配信情報は１又は複数の情報グループから成る。この情報グループは、情報の内容により分類された識別符号（ＩＤ）により特徴付けられた複数の情報を持つ。また、情報グループはカーナビにおいて表示されるコンテンツの１または数ページ分に相当する。
【００２７】
図４に、各ＩＤの情報の概要を示す。
図４に示すように、ＩＤ毎に情報の内容が分類されている。
「ＩＤ００」の情報は、情報グループが持つＩＤの一覧を示す（記述する）。ここで、それぞれの情報グループは必ずしも全てのＩＤを持つわけではなく必要なＩＤのみを持つ。例えば、ある情報グループはＩＤ００〜０５により特徴付けられた情報を持ち、また別のある情報グループはＩＤ００〜ＩＤ０５、ＩＤ１０、ＩＤ３０により特徴付けられた情報を持つ。尚、ＩＤ００、ＩＤ０１、ＩＤ０２は基本的な情報であり、全ての情報グループは、これらのＩＤの情報を持つ。
【００２８】
「ＩＤ０１」の情報は、事業者の情報を示す。具体的に、「ＩＤ０１」の情報は、「サービス事業者コード」、「サービス事業者表示テキスト」、「サービス事業者表音文字列」を含む。「サービス事業者コード」とは、ＤＳＲＣの運用を管理する団体で規定されたコードで、サービス事業者毎にユニークに割り付けられる。このコードに基づいて、サービス事業者を特定できる。「サービス事業者表示テキスト」とは、ナビ表示用サービス事業者名（サービス名）テキスト情報であり、サービス事業者をＩＴＳ車載器の利用者に通知する目的で使用される。「サービス事業者表音文字列」とは、ナビ発話用サービス事業者名（サービス名）表音文字列であり、サービス事業者やサービス名称等をＩＴＳ車載器の利用者に音声で通知する際に用いられる。
【００２９】
「ＩＤ０２」の情報は、コンテンツの情報を示す。具体的に、「ＩＤ０２」の情報は、「情報提供企業コード」、「情報提供企業表示テキスト」、「情報提供企業表音文字列」、「情報コード」、「情報表示テキスト」、「情報表音文字列」、「嗜好データカテゴリ」を含む。「情報提供企業コード」とは、コンテンツの提供元を示すコードであり、サービス事業者によって割り当てられる。「情報提供企業表示テキスト」とは、ナビ表示用情報提供企業名テキスト情報であり、情報提供企業をＩＴＳ車載器の利用者に通知する目的で使用される。「情報提供企業表音文字列」とは、ナビ発話用情報提供企業名表音文字列であり、情報提供企業をＩＴＳ車載器の利用者に音声で通知する際に用いられる。「情報コード」とは、サービス事業者が情報グループ毎にユニークに割り付けるコードである。このコードに基づいて情報グループを特定できる。また、当該情報コードは、後述する「ＩＤ３０」の遷移情報等に使用される。「情報表示テキスト」とは、画面に表示するためのテキストデータであり、典型的にはコンテンツの題名である。「情報表音文字列」とは、ナビ発話用コンテンツ内容表音文字列であり、コンテンツを利用者に音声で通知する際に用いられる。「嗜好データカテゴリ（嗜好カテゴリ）」とは、情報カテゴリを示すコードであり、例えば、最大９６項目の分類でコンテンツ（情報グループ）をカテゴリ分けするために用いられる。９６項目の各項目は１ｂｉｔで表される。
【００３０】
「ＩＤ０３」の情報は、コンテンツの再生条件を示す。より具体的には、受信したコンテンツを通信エリア外でも利用可能なコンテンツとして蓄積する（蓄積型）か、受信完了後即時再生する（即時型）コンテンツかを示す識別子であり、基本的には後述するＩＤ１０で配信されるコンテンツの再生条件を示すものである。本発明では、蓄積型のコンテンツを対象とするものである。
【００３１】
「ＩＤ０４」の情報は、コンテンツの有効期限の情報を示す。具体的に、「ＩＤ０４」の情報は、受信したコンテンツの「開始年月日時分」及び「終了年月日時分」を秒単位で示している。「ＩＤ０５」の情報は、コンテンツで示された店舗等の営業時間等を示す。
【００３２】
「ＩＤ１０」の情報は、対象地点情報（コンテンツ配信元の企業の広告情報、クーポン情報等）を示す。この対象地点情報に、動画や音声等のコンテンツが格納される。具体的に、「ＩＤ１０」の情報は、「対象地点座標」、「対象地点表示用テキスト」、「表示用文字データ」、「表示画像データ」、「表音文字列データ」、「圧縮音声データ」、「音声再生順」、「ビデオデータ」、「ＵＲＬ」、「提携駐車場情報」、「アイコン表示画像データ」を含む。
【００３３】
「ＩＤ２０」の情報は、コンテンツのポップアップの再生地点（情報提供地点）を示す。
【００３４】
「ＩＤ３０」の情報は、遷移情報（次に表示する画面（遷移先）を指定する情報等）を示す。具体的に、「ＩＤ３０」の情報は、「次再生情報コード１」、「次再生情報コード２」、「次再生情報コード３」、「次再生情報コード４」、「次再生情報コード５」、「次再生情報コード６」、「次再生情報コード７」、「次再生情報コード８」を含む。「次再生情報コード１」〜「次再生情報コード８」は、表示画面を遷移させる場合に用いられる情報であり、「ＩＤ０２」の「情報コード」に対応する。この「ＩＤ３０」の情報が情報グループに無い場合、又は「次再生情報コード１」〜「次再生情報コード８」に情報が格納されていない場合（次再生情報コードが存在しない場合）は、当該情報グループは遷移先の無い情報グループとなる。
【００３５】
「ＩＤ４０」の情報は詳細情報と呼ばれる情報であり、串刺し検索等を実現するために用いられる。「ＩＤ５０」の情報は駐車場情報であり、コンテンツで示された店舗等の駐車場の満空情報を示す。「ＩＤ６０」の情報は運転支援情報であり、駐車場の出入口付近／駐車場内合流／分岐・速度案内等、敷地内の運転に関して、運転の補助となる情報である。「ＩＤ８０」の情報は、嗜好データテーブルであり、サービス事業者が配信するコンテンツを最大９６項目に分類して、利用者の嗜好に合わせて配信するコンテンツを選択するために利用される情報である。
なお、この他、異なる番号のＩＤを付与して新たな情報内容を定義してもよい。
【００３６】
図５に、本実施の形態１における車載器１０の構成を示す。
図５に示すように、車載器１０は、カーナビ部１、通信モジュール２、ＤＳＲＣ部３、制御部４等を備えて構成されている。なお、インターネットに接続可能な通信部を備えてもよい。
【００３７】
カーナビ部１は、カーナビ制御部１ａ、現在地検出部１ｂ、地図記憶部１ｃ、入力部１ｄ、表示部１ｅ、記憶部１ｆ、音声出力部１ｇ等を備え、車両Ｃの現在地から目的地までの経路を算出し、当該経路に従って車両Ｃを目的地へ誘導するための処理を行う。
【００３８】
カーナビ制御部１ａは、現在地検出部１ｂから検出された現在地の位置情報及び地図記憶部１ｃに記憶された地図情報等に基づいて、車両Ｃの現在地から入力部１ｄを介して設定された目的地までの経路を算出する。そして、地図記憶部１ｃに記憶されている地図情報を用いて算出した経路へ誘導するための地図画面を生成し、表示部１ｅにより表示させ、ナビゲーション制御手段として機能する。
【００３９】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車の加速度（単位時間あたりの水平方向への回転速度）を検出し、方位センサは地磁気の検出を行い、車両の絶対方位を検出する。現在地検出部１ｂは、これらセンサから取得した各検出結果に基づいて車両の現在地を示す位置情報（経度、緯度等の情報）を生成し、カーナビ制御部１ａに出力する。
【００４０】
地図記憶部１ｃは、メモリやＤＶＤ等の記録媒体から構成され、案内表示に必要な地図情報、通信モジュール２を介して受信されるガイド情報（道路情報、渋滞情報等）等を記憶している。
【００４１】
入力部１ｄは、操作キーや表示部１ｅと一体に構成されるタッチパネル等から構成されている。入力部１ｄは、これらの操作に対応する操作信号を生成し、制御部４に出力し、入力手段として機能する。
【００４２】
表示部１ｅは、モニタを備え、制御部４の制御に従ってモニタ上に各種情報を表示する。例えば、設定画面や地図画面、センター装置３０から受信した配信情報のコンテンツの画面等の各種画面や、後述するお気に入りリスト画面（図１１参照）を表示し、表示手段として機能する。
【００４３】
記憶部１ｆは、メモリから構成され、制御部４やカーナビ制御部１ａにより実行される制御プログラム、プログラムの実行に必要なパラメータやデータ等を記憶している。
また、記憶部１ｆは、センター装置３０から路側無線装置２０を介して無線で受信された複数の配信情報（情報グループ）を記憶すると共に、予め登録されたお気に入りリストテーブルを記憶する記憶手段として機能する。
【００４４】
ここで、情報グループをお気に入りリストテーブルに追加するお気に入り追加機能について説明する。図６に、車載器１０の制御部４が実行するお気に入り追加処理を説明するためのフローチャートを示す。
【００４５】
例えば、受信した情報グループの再生において、図７に示すような、クーポン画像を示す画面Ｇ１０が表示部１ｅに表示されているとする。図７に示す画面Ｇ１０は、情報グループのコンテンツ（ここでは、クーポン情報を示すクーポン画像）を表示するコンテンツ表示領域Ｅ１０、再生終了ボタンＢ１０ａ、追加ボタンＢ１０ｂを備える。
【００４６】
このとき、ユーザにより追加ボタンＢ１０ｂが押下されると（ステップＴ１；ＹＥＳ）、制御部４は、当該情報グループからインデックス情報として、情報コード、情報表示テキスト、情報表音文字列、情報提供企業コード、情報提供企業表示テキスト、情報提供企業表音文字列、嗜好データカテゴリ等を取得する（ステップＴ２）。
【００４７】
制御部４は、取得したインデックス情報をお気に入りリストテーブルに格納する（ステップＴ３）。お気に入りリストテーブルは、インデックス情報を格納するためのデータテーブルであり、記憶部１ｆに保存されている。
【００４８】
図８に、記憶部１ｆに記憶されているお気に入りリストテーブルの例を示す。
なお、本実施の形態１におけるお気に入りリストテーブルは、サービス事業者毎に分別されて管理されるものとする。
【００４９】
図８に示すように、お気に入りリストテーブルは、お気に入りリストテーブルに情報グループに対応するレコードが追加された際に各レコードに付加されるリスト番号と、情報グループのＩＤ０２が示す情報コードと、情報表示テキスト、情報表音文字列、情報提供企業コード、情報提供企業表示テキスト、情報提供企業表音文字列、嗜好データカテゴリ等の情報グループの内容情報と、当該内容情報に対応する内容情報を含む情報グループの有無を示すリンク切れフラグと、からなる複数のレコードから構成されている。
【００５０】
なお、本実施の形態１におけるリンク切れフラグは、当該リンク切れフラグを含むレコードの内容情報に対応する内容情報を含む情報グループが記憶部１ｆに有る場合は「０」を示し、対応する内容情報を含む情報グループが記憶部１ｆに無い場合は「１」を示すものとする。
【００５１】
以下、お気に入りリストテーブルの情報コードと一致する情報コードの情報グループの内容情報は、当該お気に入りテーブルの情報コードを含むレコードの内容情報と異なる場合、即ち、リンク切れフラグが１の場合を、「リンク切れ」と称し、同じ情報コードの値を持つ情報グループの内容が変わってしまっていることを示す。お気に入りリストテーブルは、ユーザがお気に入り登録処理を行った時点での情報によって構成されるため、その後に新たに受信し、記憶部１ｆに記憶された情報グループの内容との一致／不一致を判別することで、お気に入りリストへの登録時の情報から内容が変わっているかどうかを判断することができる。
【００５２】
音声出力部１ｇは、音声処理部、Ｄ／Ａ変換器、増幅器、スピーカ等を備えて構成される。音声出力部１ｇは、制御部４から指示された音声データをＤ／Ａ変換器によりアナログ信号に変換してスピーカにより音声出力する。また、音声出力部１ｇは、制御部４から指示された表音文字列データに基づいて音声処理部により合成音声信号を生成し、スピーカにより音声出力する。
【００５３】
通信モジュール２は、光通信用、ＦＭ通信用、２．４ＧＨｚ電波通信用のアンテナをそれぞれ備え、通信センターと光通信、ＦＭ通信、電波通信等の各種通信を行う。例えば、通信モジュール２は通信センターから渋滞情報や道路交通情報等を受信し、制御部４に出力する。なお、通信センターとしてはＶＩＣＳセンター等を挙げることができるが、これに限らず、また、通信センターから受信する情報としては、渋滞情報や道路交通情報に限らない。
【００５４】
ＤＳＲＣ部３は、ＤＳＲＣ制御部３ａ、通信部３ｂ、記憶部３ｃ、ＥＴＣ処理部３ｄ、ＩＣカードＩ／Ｆ３ｅを備えて構成されており、ＤＳＲＣによるＥＴＣ利用のための処理や、センター装置３０から配信情報を受信するための通信処理等を行う。
【００５５】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う際には、通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｄにより決済情報の書込処理を行わせる。
また、通信部３ｂにより路側無線装置２０を介して配信情報を受信した場合には、当該配信情報を制御部４に出力する。
【００５６】
通信部３ｂは、車両Ｃのダッシュボード上でフロントガラス近傍に固設されたアンテナを備え、このアンテナを介して路側無線装置２０やＥＴＣ基地局等と、ＤＳＲＣの電波の送受信を行う。
【００５７】
記憶部３ｃは、ＤＳＲＣ制御部３ａにより実行される制御プログラム等を記憶している。
【００５８】
ＥＴＣ処理部３ｄは、ＩＣカードＩ／Ｆ３ｅに挿抜されるＩＣ付きクレジットカード又はデビットカード等に対して決済情報等の読み書きを行う。
【００５９】
ＩＣカードＩ／Ｆ３ｅは、上記クレジットカード等のスロットを備え、このスロットに挿入されたクレジットカード等のＩＣとＥＴＣ処理部３ｄとの間で情報のやりとりを仲介する。
【００６０】
制御部４は、ＣＰＵ（Central Processing Unit）、ＲＡＭ（Random Access Memory）等から構成され、記憶部１ｆに記憶された制御プログラムとの協働により各種演算を行う他、各部の集中制御を行う。例えば、路側無線装置２０との路車間通信を行う際にはＤＳＲＣ部３の通信動作を制御する。なお、ＤＳＲＣ部３の制御にあたってはＤＳＲＣ部３のＤＳＲＣ制御部３ａとの協働により制御を行う。また、ＤＳＲＣ部３を介してセンター装置３０から受信した配信情報の保存、再生制御等を行う。
【００６１】
本実施の形態１における制御部４は、お気に入りリストテーブルのレコードの情報コードと情報コードが一致する記憶部１ｆに記憶されている情報グループを検索し、当該検索された情報グループの内容情報が当該レコードの内容情報と一致しない場合、当該レコードのリンク切れフラグを対応する情報グループなし（リンク切れフラグ＝１）に設定するリンク切れ判定処理を実行する。
【００６２】
また、制御部４は、リンク切れフラグが「１」に設定されているレコードをリンク切れフラグが「０」に設定されているレコードとは異なる状態で表示するお気に入りリスト画面（図１１参照）を表示部１ｅに表示させ、対応する情報グループなしに設定されているリンク切れフラグのレコードの内容を表示させる指示が受け付けられた場合、当該表示させる指示の対象となったレコードに対応する内容情報を含む情報グループが記憶部１ｆに記憶されていないことを示す第１画面（図１２参照）を表示部１ｅに表示させるお気に入りリスト表示処理を実行する制御手段として機能する。
【００６３】
次に、動作について説明する。
図９に、車載器１０の制御部４により実行される本実施の形態１のリンク切れ判定処理を説明するフローチャートを示す。
【００６４】
制御部４は、通信部３ｂを介して受信した情報グループが記憶部１ｆに記憶された（受信完了）か否かを判別し（ステップＳ１）、受信完了でない場合（ステップＳ１；Ｎｏ）、ステップＳ１に戻る。
【００６５】
制御部４は、情報グループを受信完了した場合（ステップＳ１；Ｙｅｓ）、お気に入りリストテーブルのリスト番号の最小値（０００１）を参照リスト番号Ｎに設定し（ステップＳ２）、記憶部１ｆに記憶されている複数の情報グループのうち、参照リスト番号Ｎと等しいリスト番号のレコードの情報コードと情報コードが一致する情報グループを読み出す（ステップＳ３）。
【００６６】
制御部４は、参照リスト番号Ｎと等しいリスト番号のレコードの情報表示テキストと、ステップＳ３において読み出した情報グループの情報表示テキストとが、一致するか否かを判別する（ステップＳ４）。
【００６７】
制御部４は、参照リスト番号Ｎと等しいリスト番号のレコードの情報表示テキストと、ステップＳ３において読み出した情報グループの情報表示テキストとが、一致する場合（ステップＳ４；Ｙｅｓ）、参照リスト番号Ｎと等しいリスト番号のレコードの情報提供企業コードと、ステップＳ３において読み出した情報グループの情報提供企業コードとが、一致するか否かを判別する（ステップＳ５）。
【００６８】
制御部４は、参照リスト番号Ｎと等しいリスト番号のレコードの情報提供企業コードと、ステップＳ３において読み出した情報グループの情報提供企業コードとが、一致する場合（ステップＳ５；Ｙｅｓ）、参照リスト番号Ｎと等しいリスト番号のレコードの情報提供企業表示テキストと、ステップＳ３において読み出した情報グループの情報提供企業表示テキストとが、一致するか否かを判別する（ステップＳ６）。
【００６９】
制御部４は、参照リスト番号Ｎと等しいリスト番号のレコードの情報提供企業表示テキストと、ステップＳ３において読み出した情報グループの情報提供企業表示テキストとが、一致する場合（ステップＳ６；Ｙｅｓ）、参照リスト番号Ｎと等しいリスト番号のレコードのリンク切れフラグを「０」に設定する（ステップＳ７）。
【００７０】
制御部４は、参照リスト番号Ｎと等しいリスト番号のレコードの情報表示テキストと、ステップＳ３において読み出した情報グループの情報表示テキストとが、一致しない場合（ステップＳ４；Ｎｏ）、参照リスト番号Ｎと等しいリスト番号のレコードの情報提供企業コードと、ステップＳ３において読み出した情報グループの情報提供企業コードとが、一致しない場合（ステップＳ５；Ｎｏ）、参照リスト番号Ｎと等しいリスト番号のレコードの情報提供企業表示テキストと、ステップＳ３において読み出した情報グループの情報提供企業表示テキストとが、一致しない場合（ステップＳ６；Ｎｏ）、参照リスト番号Ｎと等しいリスト番号のレコードのリンク切れフラグを「１」に設定する（ステップＳ８）。
【００７１】
制御部４は、ステップＳ７又はＳ８後、参照リスト番号Ｎに１を加算した値を新たな参照リスト番号に設定し（ステップＳ９）、参照リスト番号Ｎがリスト番号の最大値よりも大きいか否かを判別し（ステップＳ１０）、参照リスト番号Ｎがリスト番号の最大値以下である場合（ステップＳ１０；Ｎｏ）、ステップＳ３に戻り、参照リスト番号Ｎがリスト番号の最大値よりも大きい場合（ステップＳ１０；Ｙｅｓ）、本処理を終了する。
【００７２】
なお、本実施の形態１におけるリンク切れ判定処理においては、ステップＳ４〜Ｓ６の判別順序は、これに限らない。また、ステップＳ４〜６の判定要素（情報表示テキスト、情報提供企業コード、情報提供企業表示テキスト）に、情報表音文字列や情報提供企業表音文字列を判定要素として加えてもよい。
【００７３】
図１０に、車載器１０の制御部４により実行される本実施の形態１のお気に入りリスト表示処理のフローチャートを示す。
制御部４は、入力部１ｄによりお気に入りリスト画面を表示させる表示指示があるか否かを判別し（ステップＳ１１）、当該表示指示がない場合（ステップＳ１１；Ｎｏ）、ステップＳ１１に戻る。
【００７４】
制御部４は、お気に入りリスト画面を表示させる表示指示がある場合（ステップＳ１１；Ｙｅｓ）、お気に入りリスト画面を表示部１ｅに表示させる（ステップＳ１２）。
【００７５】
図１１に、お気に入りリスト画面の例を示す。
図１１に示すように、お気に入りリスト画面Ｇ０は、お気に入りリストテーブルに基づいて作成され表示される画面であり、リスト表示領域Ｅ０と、お気に入りリスト画面Ｇ０の表示を終了させる終了ボタンＢ０とを備えている。
【００７６】
リスト表示領域Ｅ０は、お気に入りリストテーブルの各レコードからリスト番号、情報表示テキスト、情報提供企業表示テキストが抽出され、抽出された各レコードのリスト番号を示すリスト番号領域Ｅ０ａ、抽出された各レコードのリスト番号に対応する各情報表示テキストを示す情報テキスト領域Ｅ０ｂ、抽出された各レコードのリスト番号に対応する各情報提供企業表示テキストを表示する企業テキスト領域Ｅ０ｃから成る。
【００７７】
このリスト表示領域Ｅ０に表示されるリスト番号、情報表示テキスト、情報提供企業表示テキストの項目からなる各列の表示は、リスト番号に対応するレコードのリンク切れフラグが「１」に設定されている列をリスト番号に対応するレコードのリンク切れフラグが「０」に設定されている列とは異なる状態である。異なる状態としては、例えば、列のテキストの色を異ならせたり、背景色を変えたりした状態である。
【００７８】
リスト番号領域Ｅ０ａ、情報テキスト領域Ｅ０ｂ、企業テキスト領域Ｅ０ｃのいずれかの領域のうちのいずれかの項目が選択されると、当該選択された項目に対応するリスト番号の選択指示が受け付けられる。リスト表示領域Ｅ０により、リンク切れフラグが「１」に設定されているレコードの内容を表示させる指示が受け付けられる。
【００７９】
制御部４は、お気に入りリスト画面を表示させた後（ステップＳ１２後）、終了ボタンＢ０が選択されたか否かを判別し（ステップＳ１３）、終了ボタンが選択された場合（ステップＳ１３；Ｙｅｓ）、本処理を終了する。
【００８０】
制御部４は、終了ボタンが選択されていない場合（ステップＳ１３；Ｎｏ）、リスト番号の選択指示が受け付けられたか否かを判別し（ステップＳ１４）、リスト番号の選択指示が受け付けられていない場合（ステップＳ１４；Ｎｏ）、ステップＳ１３に戻る。
【００８１】
制御部４は、リスト番号の選択指示が受け付けられた場合（ステップＳ１４；Ｙｅｓ）、お気に入りリストテーブルを参照し、当該リスト番号に対応するレコードのリンク切れフラグが「１」に設定されているか否かを判別する（ステップＳ１５）。
【００８２】
制御部４は、当該リスト番号に対応するレコードのリンク切れフラグが「１」に設定されていない、即ち、「０」に設定されている場合（ステップＳ１５；Ｎｏ）、当該リスト番号に対応するレコードの情報コードと情報コードが一致する情報グループを記憶部１ｆから読み出し、当該読み出した情報グループのコンテンツを再生させ（ステップＳ１６）、ステップＳ１１に戻る。
【００８３】
制御部４は、当該リスト番号に対応するレコードのリンク切れフラグが「１」に設定されている、即ち、「リンク切れ」の場合（ステップＳ１５；Ｙｅｓ）、当該リスト番号に対応するレコードの情報表示テキストと情報提供企業テキストとを読み込み（ステップＳ１７）、第１画面を表示部１ｅに表示させる（ステップＳ１８）。
【００８４】
図１２に、第１画面の例を示す。
図１２に示すように、第１画面Ｇ１は、メッセージ領域Ｍ１ａ、内容情報報知領域Ｍ１ｂ、戻るボタンＢ１を備える。
【００８５】
メッセージ領域Ｍ１ａは、「この情報が見つかりません。削除または変更された可能性があります。」等の選択されたリンク番号に対応するレコードの内容情報に対応する内容情報を含む情報グループがない旨を示すメッセージを表示する領域である。
内容情報報知領域Ｍ１ｂは、ステップＳ１７において読み込んだ情報表示テキストと情報提供企業テキストを表示する領域である。
戻るボタンＢ１は、お気に入りリスト画面Ｇ０に戻る指示を受け付けるボタンである。
【００８６】
制御部４は、第１画面を表示させた後（ステップＳ１８後）、戻るボタンＢ１が選択されたか否かを判別し（ステップＳ１９）、戻るボタンＢ１が選択されていない場合（ステップＳ１９；Ｎｏ）、ステップＳ１９に戻り、戻るボタンＢ１が選択された場合（ステップＳ１９；Ｙｅｓ）、ステップＳ１１に戻る。
【００８７】
［実施の形態２］
以下、図を参照して本発明の実施の形態２を詳細に説明する。
本実施の形態２における配信システムの構成、路側無線装置の構成、配信情報のデータ構成、配信情報に含まれる各ＩＤの情報は、実施の形態１と同様であるため、図示及び説明は省略する。また、車載器１０は、制御部４において実行されるお気に入りリスト表示処理が異なる以外は実施の形態１と同様であるため、お気に入りリストテーブル及びリンク切れ判定処理の図示及び説明を省略し、異なる部分のみ説明する。
【００８８】
本実施の形態２における制御部４は、お気に入りリストテーブルのレコードの情報コードと情報コードが一致する記憶部１ｆに記憶されている情報グループを検索し、当該検索された情報グループの内容情報が当該レコードの内容情報と一致しない場合、当該レコードのリンク切れフラグを対応する情報グループなし（リンク切れフラグ＝１）に設定するリンク切れ判定処理を実行する。
【００８９】
また、制御部４は、リンク切れフラグが「１」に設定されているレコードをリンク切れフラグが「０」に設定されているレコードとは異なる状態で表示するお気に入りリスト画面（図１１参照）を表示部１ｅに表示させ、対応する情報グループなしに設定されているリンク切れフラグのレコードの内容を表示させる指示が受け付けられた場合、当該表示させる指示の対象となったレコードに対応する内容情報を含む情報グループが記憶部１ｆに記憶されていないことを示し、当該表示させる指示の対象となったレコードを削除する指示を受け付ける第２画面（図１４参照）を表示し、削除する指示を受け付けた場合には、当該削除対象となったレコードをお気に入りリストテーブルから削除するお気に入りリスト表示処理を実行する制御手段として機能する。
【００９０】
次に、動作について説明する。
車載器１０の制御部４により実行されるリンク切れ判定処理は、実施の形態１と同様であるため、図示及び説明は省略する。
【００９１】
図１３に、車載器１０の制御部４により実行される本実施の形態２のお気に入りリスト表示処理のフローチャートを示す。なお、図１３に示すお気に入りリスト表示処理のステップＳ２１からＳ２７は、図１０に示す実施の形態１のお気に入りリスト表示処理のステップＳ１１からＳ１７と同様であるため、説明は省略する。また、ステップＳ２２において表示されるお気に入りリスト画面は、実施の形態１のお気に入りリスト画面と同様であるため、図示及び説明は省略する。
【００９２】
制御部４は、リスト番号に対応するレコードの情報表示テキストと情報提供企業テキストとを読み込み（ステップＳ２７）、第２画面を表示部１ｅに表示させる（ステップＳ２８）。
【００９３】
図１４に、第２画面の例を示す。
図１４に示すように、第２画面Ｇ２は、メッセージ領域Ｍ２ａ、内容情報報知領域Ｍ２ｂ、削除メッセージ領域Ｍ２ｃ、削除するボタンＢ２ａ、削除しないボタンＢ２ｂを備える。
【００９４】
メッセージ領域Ｍ２ａは、「この情報が見つかりません。削除または変更された可能性があります。」等の選択されたリンク番号に対応するレコードの内容情報に対応する内容情報を含む情報グループがない旨を示すメッセージを表示する領域である。
内容情報報知領域Ｍ２ｂは、ステップＳ２７において読み込んだ情報表示テキストと情報提供企業テキストを表示する領域である。
【００９５】
削除メッセージ領域Ｍ２ｃは、「お気に入りリストから削除しますか？」等の選択されたリンク番号に対応するレコードを削除するか否かの指示を問うメッセージを表示する領域である。
削除するボタンＢ２ａは、選択されたリンク番号に対応するレコードの削除指示を受け付けるボタンである。削除しないボタンＢ２ｂは、選択されたリング番号に対応するレコードを削除しない指示を受けるけるボタンである。
【００９６】
制御部４は、第２画面を表示させた後（ステップＳ２８後）、削除しないボタンＢ２ｂが選択されたか否かを判別し（ステップＳ２９）、削除しないボタンＢ２ｂが選択された場合（ステップＳ２９；Ｙｅｓ）、ステップＳ２１に戻る。
【００９７】
制御部４は、削除しないボタンＢ２ｂが選択されていない場合（ステップＳ２９；Ｎｏ）、削除するボタンＢ２ａが選択されたか否かを判別し（ステップＳ３０）、削除するボタンＢ２ａが選択されていない場合（ステップＳ３０；Ｎｏ）、ステップＳ２９に戻る。
【００９８】
制御部４は、削除するボタンＢ２ａが選択された場合（ステップＳ３０；Ｙｅｓ）、お気に入りリストテーブルから選択されたリスト番号に対応するレコードを削除し（ステップＳ３１）、ステップＳ２１に戻る。
【００９９】
［実施の形態３］
以下、図を参照して本発明の実施の形態３を詳細に説明する。
本実施の形態３における配信システムの構成、路側無線装置の構成、配信情報のデータ構成、配信情報に含まれる各ＩＤの情報は、実施の形態１と同様であるため、図示及び説明は省略する。また、車載器１０は、制御部４において実行されるお気に入りリスト表示処理が異なる以外は実施の形態１と同様であるため、お気に入りリストテーブル及びリンク切れ判定処理の図示及び説明を省略し、異なる部分のみ説明する。
【０１００】
本実施の形態２における制御部４は、お気に入りリストテーブルのレコードの情報コードと情報コードが一致する記憶部１ｆに記憶されている情報グループを検索し、当該検索された情報グループの内容情報が当該レコードの内容情報と一致しない場合、当該レコードのリンク切れフラグを対応する情報グループなし（リンク切れフラグ＝１）に設定するリンク切れ判定処理を実行する。
【０１０１】
また、制御部４は、リンク切れフラグが「１」に設定されているレコードをリンク切れフラグが「０」に設定されているレコードとは異なる状態で表示するお気に入りリスト画面（図１１参照）を表示部１ｅに表示させ、対応する情報グループなしに設定されているリンク切れフラグのレコードの内容を表示させる指示が受け付けられた場合、当該表示させる指示の対象となったレコードに対応する内容情報を含む情報グループが記憶部１ｆに記憶されていないことを示し、リンク切れフラグが「１」に設定されているレコードに対応する情報グループの代わりとなる情報グループの検索指示を受け付ける第３画面（図１９参照）を表示し、当該検索指示を受け付けた場合、リンク切れフラグが「１」に設定されているレコードに対応する情報グループの代わりとなる情報グループとして、当該情報グループの内容情報を含む情報グループを検索する代替情報グループ検索処理を実行し、当該検索結果として第４画面（図２０参照）又は第５画面（図２１参照）を表示部１ｅに表示するお気に入りリスト表示処理を実行する制御手段として機能する。
【０１０２】
更に制御部４は、代替情報グループ検索処理後、検索指示の対象となったリンク切れフラグが「１」に設定されているレコードの内容情報を含む情報グループに基づくレコードを、当該検索指示の対象となったレコードに代えて記憶させる代替指示を受け付けた場合、検索指示の対象となったレコードの内容情報を含む情報グループに基づくレコードを、検索指示の対象となったレコードに代えてお気に入りリストテーブルに記憶させる。
【０１０３】
また、制御部４は、代替情報グループ検索処理後、検索指示の対象となったリンク切れフラグが「１」に設定されているレコードの内容情報を含む情報グループに基づくレコードを、お気に入りリストテーブルに追加する追加指示を受け付けた場合、検索指示の対象となったレコードの内容情報を含む情報グループに基づくレコードを、お気に入りリストテーブルに追加して記憶させる。
【０１０４】
次に、動作について説明する。
車載器１０の制御部４により実行されるリンク切れ判定処理は、実施の形態１と同様であるため、図示及び説明は省略する。
【０１０５】
図１５から図１８に、車載器１０の制御部４により実行される本実施の形態３のお気に入りリスト表示処理のフローチャートを示す。なお、図１５に示すお気に入りリスト表示処理のステップＳ４１からＳ４７は、図１０に示す実施の形態１のお気に入りリスト表示処理のステップＳ１１からＳ１７と同様であるため、説明は省略する。また、ステップＳ４２において表示されるお気に入りリスト画面は、実施の形態１のお気に入りリスト画面と同様であるため、図示及び説明は省略する。
【０１０６】
制御部４は、リスト番号に対応するレコードの情報表示テキストと情報提供企業テキストとを読み込み（ステップＳ４７）、第３画面を表示部１ｅに表示させる（ステップＳ４８）。
【０１０７】
図１９に、第３画面の例を示す。
図１９に示すように、第３画面Ｇ３は、メッセージ領域Ｍ３ａ、内容情報報知領域Ｍ３ｂ、戻るボタンＢ３ａ、削除ボタンＢ３ｂ、代替情報検索ボタンＢ３ｃを備える。
【０１０８】
メッセージ領域Ｍ３ａは、「この情報が見つかりません。削除または変更された可能性があります。」等の選択されたリンク番号に対応するレコードの内容情報に対応する内容情報を含む情報グループがない旨を示すメッセージを表示する領域である。
内容情報報知領域Ｍ３ｂは、ステップＳ４７において読み込んだ情報表示テキストと情報提供企業テキストを表示する領域である。
【０１０９】
戻るボタンＢ３ａは、お気に入りリスト画面に戻る指示を受け付けるボタンである。
削除ボタンＢ３ｂは、選択されたリンク番号に対応するレコードの削除指示を受け付けるボタンである。
代替情報検索ボタンＢ３ｃは、選択されたリンク番号に対応するレコードに対応する情報グループの代わりとなる情報グループの検索指示を受け付けるボタンであり、リンク切れフラグが「１」に設定されているレコードに対応する情報グループの代わりとなる情報グループの検索指示を受け付けることができる。
【０１１０】
制御部４は、第３画面を表示させた後（ステップＳ４８後）、戻るボタンＢ３ａが選択されたか否かを判別し（ステップＳ４９）、戻るボタンＢ３ａが選択された場合（ステップＳ４９；Ｙｅｓ）、ステップＳ４１に戻る。
【０１１１】
制御部４は、戻るボタンＢ３ａが選択されていない場合（ステップＳ４９；Ｎｏ）、代替情報検索ボタンＢ３ｃが選択されたか否かを判別し（ステップＳ５０）、代替情報検索ボタンＢ３ｃが選択されていない場合（ステップＳ５０；Ｎｏ）、削除ボタンＢ３ｂが選択されたか否かを判別する（ステップＳ５１）。
【０１１２】
制御部４は、削除ボタンＢ３ｂが選択されていない場合（ステップＳ５１；Ｎｏ）、ステップＳ４９に戻り、削除ボタンＢ３ｂが選択された場合（ステップＳ５１；Ｙｅｓ）、お気に入りリストテーブルから選択されたリスト番号に対応するレコードを削除し（ステップＳ５２）、ステップＳ４１に戻る。
【０１１３】
制御部４は、代替情報検索ボタンＢ３ｃが選択された場合（ステップＳ５０；Ｙｅｓ）、後述する代替情報グループ検索処理を実行し（ステップＳ５３）、変数ｎを代替情報グループ検索処理によって検索された代替候補となる情報グループの数（代替情報グループ候補数）に設定し（ステップＳ５４）、変数ｎが０であるか否かを判別する（ステップＳ５５）。
【０１１４】
制御部４は、変数ｎが０である場合（ステップＳ５５；Ｙｅｓ）、第４画面を表示部１ｅに表示させる（ステップＳ５６）。
【０１１５】
図２０に、第４画面の例を示す。
図２０に示すように、第４画面Ｇ４は、メッセージ領域Ｍ４ａ、内容情報報知領域Ｍ４ｂ、代替検索結果報知領域Ｍ４ｃ、戻るボタンＢ４ａ、削除ボタンＢ４ｂを備える。
【０１１６】
メッセージ領域Ｍ４ａ、内容情報報知領域Ｍ４ｂは、第３画面Ｇ３のメッセージ領域Ｍ３ａ、内容情報報知領域Ｍ３ｂと同様であるため、説明は省略する。
代替検索結果報知領域Ｍ４ｃは、「代わりの情報はみつかりませんでした」等のリンク切れフラグが「１」に設定されているレコードに対応する情報グループの代わりとなる情報グループ（代替候補情報グループ）の検索結果として、代替情報グループが見つからなかった旨を示すメッセージを表示する領域である。
【０１１７】
戻るボタンＢ４ａ、削除ボタンＢ４ｂは、第３画面Ｇ３の戻るボタンＢ３ａ、削除ボタンＢ３ｂと同様であるため、説明は省略する。
【０１１８】
制御部４は、第４画面を表示させた後（ステップＳ５６後）、戻るボタンＢ４ａが選択されたか否かを判別し（ステップＳ５７）、戻るボタンＢ４ａが選択された場合（ステップＳ５７；Ｙｅｓ）、ステップＳ４１に戻る。
【０１１９】
制御部４は、戻るボタンＢ４ａが選択されていない場合（ステップＳ５７；Ｎｏ）、削除ボタンＢ４ｂが選択されたか否かを判別し（ステップＳ５８）、削除ボタンＢ４ｂが選択されていない場合（ステップＳ５８；Ｎｏ）、ステップＳ５７に戻り、削除ボタンＢ４ｂが選択された場合（ステップＳ５８；Ｙｅｓ）、ステップＳ５２に進む。
【０１２０】
制御部４は、変数ｎが０でない場合（ステップＳ５５；Ｎｏ）、参照候補番号ｍを１に設定し（ステップＳ５９）、第５画面表示処理を実行する（ステップＳ６０）。
なお、参照候補番号ｍとは、代替情報グループ検索処理において代替候補となる情報グループとして検索された情報グループ（代替候補情報グループ）に付加された識別番号（候補番号）のうち参照する候補番号とする。
【０１２１】
図２１に、第５画面の例を示す。
図２１に示すように、第５画面Ｇ５は、メッセージ領域Ｍ５、コンテンツ再生領域Ｅ５、次ボタンＢ５ａ、前ボタンＢ５ｂ、置き換えボタンＢ５ｃ、追加ボタンＢ５ｄ、外すボタンＢ５ｅを備える。
【０１２２】
メッセージ領域Ｍ５は、「候補がｎ個見つかりました。ｍ番目を表示しています」等のリンク切れフラグが「１」に設定されているレコードに対応する情報グループの代わりとなる情報グループ（代替候補情報グループ）の検索結果として、代替候補情報グループが見つかった旨と、コンテンツ表示領域Ｅ５に表示されている代替候補情報グループの説明を示す第１メッセージを表示する領域である。
【０１２３】
コンテンツ表示領域Ｅ５は、参照候補番号ｍ番目の代替候補情報グループのコンテンツを表示する領域である。
【０１２４】
次ボタンＢ５ａは、コンテンツ表示領域Ｅ５に表示されている参照候補番号ｍ番目の代替候補情報グループの次の代替候補情報グループ（参照候補番号ｍ＋１番目の代替候補情報グループ）のコンテンツを表示させる指示を受け付けるボタンである。前ボタンＢ５ｂは、コンテンツ表示領域Ｅ５に表示されている参照候補番号ｍ番目の代替候補情報グループの前の代替候補報グループ（参照候補番号ｍ−１番目の代替候補情報グループ）のコンテンツを表示させる指示を受け付けるボタンである。
【０１２５】
置き換えボタンＢ５ｃは、コンテンツ表示領域Ｅ５に表示されている情報グループに基づくレコードを、当該検索指示の対象となったレコード（リンク切れフラグが「１」に設定されているレコード）に代えて記憶させる代替指示を受け付けるボタンである。
【０１２６】
追加ボタンＢ５ｄは、コンテンツ表示領域Ｅ５に表示されている情報グループに基づくレコードを、お気に入りリストテーブルに追加する追加指示を受け付けるボタンである。
【０１２７】
外すボタンＢ５ｅは、コンテンツ表示領域Ｅ５に表示されている情報グループを、ステップＳ４４において選択されたリスト番号のリンク切れフラグが「１」に設定されているレコードに対応する情報グループの代わりとなる代替候補情報グループから外す指示を受け付けるボタンである。
【０１２８】
制御部４は、第５画面を表示させた後（ステップＳ６０後）、次ボタンＢ５ａが選択されたか否かを判別し（ステップＳ６１）、次ボタンＢ５ａが選択された場合（ステップＳ６１；Ｙｅｓ）、参照候補番号ｍに１を加算して（ステップＳ６２）、ステップＳ６０に進む。
【０１２９】
制御部４は、次ボタンＢ５ａが選択されていない場合（ステップＳ６１；Ｎｏ）、前ボタンＢ５ｂが選択されたか否かを判別し（ステップＳ６３）、前ボタンＢ５ｂが選択された場合（ステップＳ６３；Ｙｅｓ）、参照候補番号ｍから１を減算して（ステップＳ６４）、ステップＳ６０に進む。
【０１３０】
制御部４は、前ボタンＢ５ｂが選択されていない場合（ステップＳ３；Ｎｏ）、置き換えボタンＢ５ｃが選択されたか否かを判別し（ステップＳ６５）、置き換えボタンＢ５ｃが背なくされていない場合（ステップＳＳ６５；Ｎｏ）、追加ボタンＢ５ｄが選択されたか否かを判別する（ステップＳ６６）。
【０１３１】
制御部４は、追加ボタンＢ５ｄが選択されていない場合（ステップＳ６６；Ｎｏ）、外すボタンＢ５ｅが選択されたか否かを判別し（ステップＳ６７）、外すボタンＢ５ｅが選択されていない場合（ステップＳ６７；Ｎｏ）、ステップＳ６１に戻る。
【０１３２】
制御部４は、置き換えボタンが選択された場合（ステップＳ６５；Ｙｅｓ）、第６画面を表示部１ｅに表示させる（ステップＳ６８）。
【０１３３】
図２２に、第６画面の例を示す。
図２２に示すように、第６画面Ｇ６は、メッセージ領域Ｍ６、コンテンツ表示領域Ｅ６、実行ボタンＢ６ａ、キャンセルボタンＢ６ｂを備える。
【０１３４】
メッセージ領域Ｍ６は、「リストをタイトル：クーポン  情報元：△△バーガーからタイトル：ドリンククーポン  情報元：△△バーガーに置き換えます。よろしいですか？」等、検索指示の対象となったレコードの内容情報（ステップＳ４７において読み込んだ情報表示テキストと情報提供企業表示テキスト）と、第５画面のコンテンツ表示領域Ｅ５に表示された代替候補情報グループの内容情報（情報表示テキストと情報提供企業表示テキスト）とを表示し、第５画面のコンテンツ表示領域Ｅ５に表示された代替候補情報グループに基づくレコードを、当該検索指示の対象となったレコードに代えて記憶させることを確認させる旨を示すメッセージを表示する領域である。
【０１３５】
コンテンツ表示領域Ｅ６は、第５画面のコンテンツ表示領域Ｅ５に表示された代替候補情報グループのコンテンツを表示する領域である。
【０１３６】
実行ボタンＢ６ａは、第５画面のコンテンツ表示領域Ｅ５に表示された代替候補情報グループに基づくレコードを、当該検索指示の対象となったレコード（リンク切れフラグが「１」に設定されているレコード）に置き換えて記憶させる処理の実行を受け付けるボタンである。
【０１３７】
キャンセルボタンＢ６ｂは、第５画面のコンテンツ表示領域Ｅ５に表示された代替候補情報グループに基づくレコードを、当該検索指示の対象となったレコード（リンク切れフラグが「１」に設定されているレコード）に置き換えて記憶させる処理の実行中止を受け付けるボタンである。
【０１３８】
制御部４は、第６画面を表示させた後（ステップＳ６８）、キャンセルボタンＢ６ｂが選択されたか否かを判別し（ステップＳ６９）、キャンセルボタンＢ６ｂが選択された場合（ステップＳ６９；Ｙｅｓ）、第６画面を閉じてステップＳ６０に戻る。
【０１３９】
制御部４は、キャンセルボタンＢ６ｂが選択されていない場合（ステップＳ６９；Ｎｏ）、実行ボタンＢ６ａが選択されたか否かを判別し（ステップＳ７０）、実行ボタンＢ６ａが選択されていない場合（ステップＳ７０；Ｎｏ）、ステップＳ６９に戻る。
【０１４０】
制御部４は、実行ボタンＢ６ａが選択された場合（ステップＳ７０；Ｙｅｓ）、参照候補番号ｍ番目の代替候補情報グループに基づいてレコードを生成し、当該生成したレコードをステップＳ４４において選択されたリスト番号のレコードに置き換え（ステップＳ７１）、ステップＳ４６に進む。
【０１４１】
制御部４は、追加ボタンＢ５ｄが選択された場合（ステップＳ６６；Ｙｅｓ）、第７画面を表示部１ｅに所定時間表示させる（ステップＳ７２）。
【０１４２】
図２３に、第７画面の例を示す。
図２３に示すように、第７画面Ｇ７は、メッセージ領域Ｍ７、コンテンツ表示領域Ｅ７を備える。
【０１４３】
メッセージ領域Ｍ７は、「タイトル：ドリンククーポン  情報元：△△バーガーをお気に入りリストに追加します」等のお気に入りリストテーブルに追加する第５画面のコンテンツ表示領域Ｅ５に表示された代替候補情報グループの内容情報（情報表示テキストと情報提供企業表示テキスト）と、当該代替候補情報グループに基づくレコードを追加する旨を示すメッセージを表示する領域である。
【０１４４】
コンテンツ表示領域Ｅ７は、お気に入りリストテーブルに追加する第５画面のコンテンツ表示領域Ｅ５に表示された代替候補情報グループのコンテンツを表示する領域である。
【０１４５】
制御部４は、第７画面を表示させた後（ステップＳ７２後）、お気に入りリストテーブルに参照候補番号ｍ番目の代替候補情報グループに基づくレコードを生成し、当該レコードを追加して記憶させる（ステップＳ７３）。
【０１４６】
制御部４は、ステップＳ７３後、又は、外すボタンＢ５ｅが選択された場合（ステップＳ６７；Ｙｅｓ）、参照候補番号ｍ番目の代替候補情報グループをステップＳ４４において選択されたリスト番号のリンク切れフラグが「１」に設定されているレコードに対応する情報グループの代わりとなる代替候補情報グループから外し、参照候補番号ｍ番目よりも後の各代替候補情報グループの候補番号から１を減算する（ステップＳ７４）。
【０１４７】
制御部４は、ステップＳ７４後、変数ｎから１を減算し（ステップＳ７５）、第７画面を閉じてステップＳ６０に戻る。
【０１４８】
図２４から図２６に、ステップＳ５３において実行される代替情報グループ検索処理のフローチャートを示す。
制御部４は、記憶部１ｆに記憶されている複数の情報グループのうち、ステップＳ４４において選択されたリスト番号に対応するレコードの情報提供企業コード及び情報提供企業表示テキストが一致する情報グループ検索し、一致する情報グループがあるか否かを判別する（ステップＳ１０１）。
【０１４９】
制御部４は、記憶部１ｆに記憶されている複数の情報グループのうち、ステップＳ４４において選択されたリスト番号に対応するレコードの情報提供企業コード及び情報提供企業表示テキストが一致する情報グループがある場合（ステップＳ１０１；Ｙｅｓ）、当該情報提供企業コード及び情報提供企業表示テキストが一致する情報ループのうち、ステップＳ４４において選択されたリスト番号に対応するレコードの情報表示テキストが一致する情報グループ検索し、一致する情報グループがあるか否かを判別する（ステップＳ１０２）。
【０１５０】
制御部４は、記憶部１ｆに記憶されている複数の情報グループのうち、ステップＳ４４において選択されたリスト番号に対応するレコードの情報提供企業コード、情報提供企業表示テキスト、情報表示テキストが一致する情報グループがある場合（ステップＳ１０２；Ｙｅｓ）、当該情報提供企業コード、情報提供企業表示テキスト、情報表示テキストが一致する情報グループのうち、ステップＳ４４において選択されたリスト番号に対応するレコードの嗜好データカテゴリが一致する情報グループを検索し、一致する情報グループがあるか否かを判別する（ステップＳ１０３）。
【０１５１】
制御部４は、記憶部１ｆに記憶されている複数の情報グループのうち、ステップＳ４４において選択されたリスト番号に対応するレコードの情報提供企業コード、情報提供企業表示テキスト、情報表示テキスト、嗜好データカテゴリが一致する情報グループがある場合（ステップＳ１０３；Ｙｅｓ）、当該情報提供企業コード、情報提供企業表示テキスト、情報表示テキスト、嗜好データカテゴリが一致する情報グループを代替候補情報グループに設定し（ステップＳ１０４）、本処理を終了する。
【０１５２】
制御部４は、記憶部１ｆに記憶されている複数の情報グループのうち、ステップＳ４４において選択されたリスト番号に対応するレコードの情報提供企業コード、情報提供企業表示テキスト、情報表示テキスト、嗜好データカテゴリが一致する情報グループがない場合（ステップＳ１０３；Ｎｏ）、当該情報提供企業コード、情報提供企業表示テキスト、情報表示テキストが一致する情報グループを代替候補情報グループに設定し（ステップＳ１０５）、本処理を終了する。
【０１５３】
制御部４は、記憶部１ｆに記憶されている複数の情報グループのうち、ステップＳ４４において選択されたリスト番号に対応するレコードの情報提供企業コード、情報提供企業表示テキスト、情報表示テキストが一致する情報グループがない場合（ステップＳ１０２；Ｎｏ）、情報提供企業コード、情報提供企業表示テキストが一致する情報グループのうち、ステップＳ４４において選択されたリスト番号に対応するレコードの嗜好データカテゴリが一致する情報グループを検索し、一致する情報グループがあるか否かを判別する（ステップＳ１０６）。
【０１５４】
制御部４は、記憶部１ｆに記憶されている複数の情報グループのうち、ステップＳ４４において選択されたリスト番号に対応するレコードの情報提供企業コード、情報提供企業表示テキスト、嗜好データカテゴリが一致する情報グループがある場合（ステップＳ１０６；Ｙｅｓ）、当該情報提供企業コード、情報提供企業表示テキスト、嗜好データカテゴリが一致する情報グループを代替候補情報グループに設定し（ステップＳ１０７）、本処理を終了する。
【０１５５】
制御部４は、記憶部１ｆに記憶されている複数の情報グループのうち、ステップＳ４４において選択されたリスト番号に対応するレコードの情報提供企業コード、情報提供企業表示テキスト、嗜好データカテゴリが一致する情報グループがない場合（ステップＳ１０６；Ｎｏ）、当該情報提供企業コード、情報提供企業表示テキストが一致する情報グループを代替候補情報グループに設定し（ステップＳ１０８）、本処理を終了する。
【０１５６】
制御部４は、記憶部１ｆに記憶されている複数の情報グループのうち、ステップＳ４４において選択されたリスト番号に対応するレコードの情報提供企業コード及び情報提供企業表示テキストが一致する情報グループがない場合（ステップＳ１０１；Ｎｏ）、記憶部１ｆに記憶されている複数の情報グループのうち、ステップＳ４４において選択されたリスト番号に対応するレコードの情報提供企業表示テキストが一致する情報グループ検索し、一致する情報グループがあるか否かを判別する（ステップＳ１０９）。
【０１５７】
制御部４は、記憶部１ｆに記憶されている複数の情報グループのうち、ステップＳ４４において選択されたリスト番号に対応するレコードの情報提供企業表示テキストが一致する情報グループがある場合（ステップＳ１０９；Ｙｅｓ）、当該情報提供企業表示テキストが一致する情報ループのうち、ステップＳ４４において選択されたリスト番号に対応するレコードの情報表示テキストが一致する情報グループ検索し、一致する情報グループがあるか否かを判別する（ステップＳ１１０）。
【０１５８】
制御部４は、記憶部１ｆに記憶されている複数の情報グループのうち、ステップＳ４４において選択されたリスト番号に対応するレコードの情報提供企業表示テキスト、情報表示テキストが一致する情報グループがある場合（ステップＳ１１０；Ｙｅｓ）、当該情報提供企業表示テキスト、情報表示テキストが一致する情報グループのうち、ステップＳ４４において選択されたリスト番号に対応するレコードの嗜好データカテゴリが一致する情報グループを検索し、一致する情報グループがあるか否かを判別する（ステップＳ１１１）。
【０１５９】
制御部４は、記憶部１ｆに記憶されている複数の情報グループのうち、ステップＳ４４において選択されたリスト番号に対応するレコードの情報提供企業表示テキスト、情報表示テキスト、嗜好データカテゴリが一致する情報グループがある場合（ステップＳ１１１；Ｙｅｓ）、当該情報提供企業表示テキスト、情報表示テキスト、嗜好データカテゴリが一致する情報グループを代替候補情報グループに設定し（ステップＳ１１２）、本処理を終了する。
【０１６０】
制御部４は、記憶部１ｆに記憶されている複数の情報グループのうち、ステップＳ４４において選択されたリスト番号に対応するレコードの情報提供企業表示テキスト、情報表示テキスト、嗜好データカテゴリが一致する情報グループがない場合（ステップＳ１１２；Ｎｏ）、当該情報提供企業表示テキスト、情報表示テキストが一致する情報グループを代替候補情報グループに設定し（ステップＳ１１３）、本処理を終了する。
【０１６１】
制御部４は、記憶部１ｆに記憶されている複数の情報グループのうち、ステップＳ４４において選択されたリスト番号に対応するレコードの情報提供企業表示テキスト、情報表示テキストが一致する情報グループがない場合（ステップＳ１１０；Ｎｏ）、情報提供企業表示テキストが一致する情報グループのうち、ステップＳ４４において選択されたリスト番号に対応するレコードの嗜好データカテゴリが一致する情報グループを検索し、一致する情報グループがあるか否かを判別する（ステップＳ１１４）。
【０１６２】
制御部４は、記憶部１ｆに記憶されている複数の情報グループのうち、ステップＳ４４において選択されたリスト番号に対応するレコードの情報提供企業表示テキスト、嗜好データカテゴリが一致する情報グループがある場合（ステップＳ１１４；Ｙｅｓ）、当該情報提供企業表示テキスト、嗜好データカテゴリが一致する情報グループを代替候補情報グループに設定し（ステップＳ１１５）、本処理を終了する。
【０１６３】
制御部４は、記憶部１ｆに記憶されている複数の情報グループのうち、ステップＳ４４において選択されたリスト番号に対応するレコードの情報提供企業表示テキスト、嗜好データカテゴリが一致する情報グループがない場合（ステップＳ１１４；Ｎｏ）、当該情報提供企業表示テキストが一致する情報グループを代替候補情報グループに設定し（ステップＳ１１６）、本処理を終了する。
【０１６４】
制御部４は、記憶部１ｆに記憶されている複数の情報グループのうち、ステップＳ４４において選択されたリスト番号に対応するレコードの情報提供企業表示テキストが一致する情報グループがない場合（ステップＳ１０９；Ｎｏ）、記憶部１ｆに記憶されている複数の情報グループのうち、ステップＳ４４において選択されたリスト番号に対応するレコードの情報提供企業コードが一致する情報グループ検索し、一致する情報グループがあるか否かを判別する（ステップＳ１１７）。
【０１６５】
制御部４は、記憶部１ｆに記憶されている複数の情報グループのうち、ステップＳ４４において選択されたリスト番号に対応するレコードの情報提供企業コードが一致する情報グループがある場合（ステップＳ１１７；Ｙｅｓ）、当該情報提供企業コードが一致する情報ループのうち、ステップＳ４４において選択されたリスト番号に対応するレコードの情報表示テキストが一致する情報グループ検索し、一致する情報グループがあるか否かを判別する（ステップＳ１１８）。
【０１６６】
制御部４は、記憶部１ｆに記憶されている複数の情報グループのうち、ステップＳ４４において選択されたリスト番号に対応するレコードの情報提供企業コード、情報表示テキストが一致する情報グループがある場合（ステップＳ１１８；Ｙｅｓ）、当該情報提供企業コード、情報表示テキストが一致する情報グループのうち、ステップＳ４４において選択されたリスト番号に対応するレコードの嗜好データカテゴリが一致する情報グループを検索し、一致する情報グループがあるか否かを判別する（ステップＳ１１９）。
【０１６７】
制御部４は、記憶部１ｆに記憶されている複数の情報グループのうち、ステップＳ４４において選択されたリスト番号に対応するレコードの情報提供企業コード、情報表示テキスト、嗜好データカテゴリが一致する情報グループがある場合（ステップＳ１１９；Ｙｅｓ）、当該情報提供企業コード、情報表示テキスト、嗜好データカテゴリが一致する情報グループを代替候補情報グループに設定し（ステップＳ１２０）、本処理を終了する。
【０１６８】
制御部４は、記憶部１ｆに記憶されている複数の情報グループのうち、ステップＳ４４において選択されたリスト番号に対応するレコードの情報提供企業コード、情報表示テキスト、嗜好データカテゴリが一致する情報グループがない場合（ステップＳ１１９；Ｎｏ）、当該情報提供企業コード、情報表示テキストが一致する情報グループを代替候補情報グループに設定し（ステップＳ１２１）、本処理を終了する。
【０１６９】
制御部４は、記憶部１ｆに記憶されている複数の情報グループのうち、ステップＳ４４において選択されたリスト番号に対応するレコードの情報提供企業コード、情報表示テキストが一致する情報グループがない場合（ステップＳ１１８；Ｎｏ）、情報提供企業コードが一致する情報グループのうち、ステップＳ４４において選択されたリスト番号に対応するレコードの嗜好データカテゴリが一致する情報グループを検索し、一致する情報グループがあるか否かを判別する（ステップＳ１２２）。
【０１７０】
制御部４は、記憶部１ｆに記憶されている複数の情報グループのうち、ステップＳ４４において選択されたリスト番号に対応するレコードの情報提供企業コード、嗜好データカテゴリが一致する情報グループがある場合（ステップＳ１２２；Ｙｅｓ）、当該情報提供企業コード、嗜好データカテゴリが一致する情報グループを代替候補情報グループに設定し（ステップＳ１２３）、本処理を終了する。
【０１７１】
制御部４は、記憶部１ｆに記憶されている複数の情報グループのうち、ステップＳ４４において選択されたリスト番号に対応するレコードの情報提供企業コード、嗜好データカテゴリが一致する情報グループがない場合（ステップＳ１２２；Ｎｏ）、当該情報提供企業コードが一致する情報グループを代替候補情報グループに設定し（ステップＳ１２４）、本処理を終了する。
【０１７２】
制御部４は、記憶部１ｆに記憶されている複数の情報グループのうち、ステップＳ４４において選択されたリスト番号に対応するレコードの情報提供企業コードが一致する情報グループがない場合（ステップＳ１１７；Ｎｏ）、代替候補情報グループなしと判別し（ステップＳ１２５）、本処理を終了する。
【０１７３】
図２７に、ステップＳ６０において実行される第５画面表示処理のフローチャートを示す。
制御部４は、変数ｎと参照候補番号ｍとに基づいて、第１メッセージを生成し、生成した第１メッセージを表示させる表示設定を行なう（ステップＳ２０１）。
【０１７４】
そして、制御部４は、変数ｎが１でなく（ｎ≠１）かつ参照候補番号ｍが１でない（ｍ≠１）か否かを判別し（ステップＳ２０２）、ｎ≠１かつｍ≠１でない場合（ステップＳ２０２；Ｎｏ）、次ボタンＢ５ａを生成し、生成した次ボタンＢ５ａを表示させる表示設定を行なう（ステップＳ２０３）。
【０１７５】
制御部４は、ｎ≠１かつｍ≠１である場合（ステップＳ２０２；Ｙｅｓ）、又はステップＳ２０３後、変数ｎは１でなく（ｎ≠１）かつ参照候補番号ｍは変数ｎとは異なる（ｍ≠ｎ）か否かを判別し（ステップＳ２０４）、ｎ≠１かつｎ≠ｍでない場合（ステップＳ２０４；Ｎｏ）、前ボタンＢ５ｂを生成し、生成した前ボタンＢ５ｂを表示させる表示設定を行なう（ステップＳ２０５）。
【０１７６】
制御部４は、ｎ≠１かつｎ≠ｍである場合（ステップＳ２０４；Ｙｅｓ）、又は、ステップＳ２０５後、置き換えボタンＢ５ｃ、追加ボタンＢ５ｄ、外すボタンＢ５ｅを生成し、当該生成した各ボタンを表示させる表示設定を行なう（ステップＳ２０６）。
【０１７７】
また、制御部４は、参照候補番号ｍ番目の代替候補情報グループのコンテンツをコンテンツ表示領域Ｅ５に表示させる表示設定を行い（ステップＳ２０７）、これら表示設定に応じて第５画面を生成し、生成した第５画面を表示部１ｅに表示させ、本処理を終了する。
【０１７８】
以上のように、本実施形態によれば、ユーザが所望する情報グループを表示する際の利便性及び表示される情報グループの内容の信頼性を高めることができる。
【図面の簡単な説明】
【０１７９】
【図１】実施の形態１における配信システムの構成図である。
【図２】路側無線装置及び路側エリアを説明するための図である。
【図３】配信情報のデータ構成例を示す図である。
【図４】各ＩＤの情報の概要を示す図である。
【図５】実施の形態１における車載器の構成図である。
【図６】お気に入り追加処理を説明するフローチャートである。
【図７】クーポン画像を示す画面の例を示す図である。
【図８】お気に入りリストテーブルの例を示す図である。
【図９】実施の形態１のリンク切れ判定処理を説明するフローチャートである。
【図１０】実施の形態１のお気に入りリスト表示処理のフローチャートである。
【図１１】お気に入りリスト画面の例を示す図である。
【図１２】第１画面の例を示す図である。
【図１３】実施の形態２のお気に入りリスト表示処理のフローチャートである。
【図１４】第２画面の例を示す図である。
【図１５】実施の形態３のお気に入りリスト表示処理のフローチャートである。
【図１６】実施の形態３のお気に入りリスト表示処理のフローチャートである（図１５の続き）。
【図１７】実施の形態３のお気に入りリスト表示処理のフローチャートである（図１６の続き）。
【図１８】実施の形態３のお気に入りリスト表示処理のフローチャートである（図１６の続き）。
【図１９】第３画面の例を示す図である。
【図２０】第４画面の例を示す図である。
【図２１】第５画面の例を示す図である。
【図２２】第６画面の例を示す図である。
【図２３】第７画面の例を示す図である。
【図２４】代替情報グループ検索処理のフローチャートである。
【図２５】代替情報グループ検索処理のフローチャートである（図２４の続き）。
【図２６】代替情報グループ検索処理のフローチャートである（図２５の続き）。
【図２７】第５画面表示処理のフローチャートである。
【符号の説明】
【０１８０】
１  カーナビ部
１ａ  カーナビ制御部
１ｂ  現在地検出部
１ｃ  地図記憶部
１ｄ  入力部
１ｅ  表示部
１ｆ  記憶部
１ｇ  音声出力部
２  通信モジュール
３  ＤＳＲＣ部
３ａ  ＤＳＲＣ制御部
３ｂ  通信部
３ｃ  記憶部
３ｄ  ＥＴＣ処理部
３ｅ  ＩＣカードＩ／Ｆ
４  制御部
１０  車載器
２０  路側無線装置
２０ａ  本体装置
２０ｂ  アンテナ
３０  センター装置
１００  配信システム
Ｂ０  終了ボタン
Ｂ１  戻るボタン
Ｂ２ａ  削除するボタン
Ｂ２ｂ  削除しないボタン
Ｂ３ａ、Ｂ４ａ  戻るボタン
Ｂ３ｂ、Ｂ４ｂ  削除ボタン
Ｂ３ｃ  代替情報検索ボタン
Ｂ５ａ  次ボタン
Ｂ５ｂ  前ボタン
Ｂ５ｃ  置き換えボタン
Ｂ５ｄ  追加ボタン
Ｂ５ｅ  外すボタン
Ｂ６ａ  実行ボタン
Ｂ６ｂ  キャンセルボタン
Ｂ１０ａ  再生終了ボタン
Ｂ１０ｂ  追加ボタン
Ｃ  車両
Ｅ０  リスト表示領域
Ｅ０ａ  リスト番号領域
Ｅ０ｂ  情報テキスト領域
Ｅ０ｃ  企業テキスト領域
Ｅ５、Ｅ６、Ｅ７  コンテンツ表示領域
Ｅ１０  コンテンツ表示領域
Ｇ０  お気に入りリスト画面
Ｇ１  第１画面
Ｇ２  第２画面
Ｇ３  第３画面
Ｇ４  第４画面
Ｇ５  第５画面
Ｇ６  第６画面
Ｇ７  第７画面
Ｇ１０  画面
Ｍ１ａ、Ｍ２ａ、Ｍ３ａ、Ｍ４ａ  メッセージ領域
Ｍ１ｂ、Ｍ２ｂ、Ｍ３ｂ、Ｍ４ｂ  内容情報報知領域
Ｍ２ｃ  削除メッセージ領域
Ｍ４ｃ  代替検索結果報知領域
Ｍ５  メッセージ領域
Ｍ６  メッセージ領域
Ｍ７  メッセージ領域
Ｎ１  ネットワーク
Ｚ  路側エリア
【図１】
0005056471.tif 000002
【図２】
0005056471.tif 000003
【図３】
0005056471.tif 000004
【図４】
0005056471.tif 000005
【図５】
0005056471.tif 000006
【図６】
0005056471.tif 000007
【図７】
0005056471.tif 000008
【図８】
0005056471.tif 000009
【図９】
0005056471.tif 000010
【図１０】
0005056471.tif 000011
【図１１】
0005056471.tif 000012
【図１２】
0005056471.tif 000013
【図１３】
0005056471.tif 000014
【図１４】
0005056471.tif 000015
【図１５】
0005056471.tif 000016
【図１６】
0005056471.tif 000017
【図１７】
0005056471.tif 000018
【図１８】
0005056471.tif 000019
【図１９】
0005056471.tif 000020
【図２０】
0005056471.tif 000021
【図２１】
0005056471.tif 000022
【図２２】
0005056471.tif 000023
【図２３】
0005056471.tif 000024
【図２４】
0005056471.tif 000025
【図２５】
0005056471.tif 000026
【図２６】
0005056471.tif 000027
【図２７】
0005056471.tif 000028